(57)【要約】【課題】プランジャと筒状部材の間に作動流体中の異物が介在した場合にプランジャがロックすることを抑制できる流体制御弁を提供する。【解決手段】流体制御弁５は、開弁状態と閉弁状態とに切り換えるように内部通路５２０を開閉する弁部５５０ｂと、開弁状態と閉弁状態とにわたって軸方向に変位するプランジャ５５とを備える。流体制御弁５は、通電時にプランジャ５５を軸方向に駆動する磁気力を発生するコイル部５４０と、通電時にプランジャ５５とともに磁気回路を形成するヨーク５６と、筒状部材５７と、を備える。筒状部材５７は、プランジャ５５の外周面に対して間隙を形成するように離間する離間部５７２と、離間部５７２よりもプランジャ５５の中心軸寄りに位置してプランジャ５５を軸方向に摺動可能に支持する支持部５７３とを有する。【選択図】図２
2020085006.tif 000002
【特許請求の範囲】
【請求項１】
液体である作動流体が流通する内部通路（５２０）を有するハウジング（５２）と、
弁座部（５６０ｂ）から離間して前記作動流体の流通を許可する開弁状態と閉弁状態とに切り換えるように前記内部通路を開閉する弁部（５５０ｂ；５８）と、
前記開弁状態と前記閉弁状態とにわたって軸方向に変位するプランジャ（５５；１５５）と、
通電時に前記プランジャを前記軸方向に駆動する磁気力を発生するコイル部（５４０）と、
前記通電時に前記プランジャとともに磁気回路を形成するヨーク（５６）と、
前記プランジャの外周面を覆うように設けられて、前記プランジャを前記軸方向に摺動可能に支持する筒状部材（５７；１５７；２５７）と、
を備え、
前記筒状部材と前記プランジャとは、互いに径方向に離間して間隙（５２１）を形成する間隙形成部分（５５１，５７２；２５７２）と、前記軸方向に相対的に摺動する摺動部分（５５１，５７３；１５７３；２５７３）とを形成している流体制御弁。
【請求項２】
前記筒状部材は、前記プランジャの外周面に対して前記間隙を形成するように離間する離間部（５７２）と、前記離間部よりも前記プランジャの中心軸寄りに位置して前記プランジャを前記軸方向に摺動可能に支持する支持部（５７３；１５７３）とを有する請求項１に記載の流体制御弁。
【請求項３】
前記支持部（５７３）は、前記離間部よりも前記プランジャの中心軸寄りに凹んだ凹部である請求項２に記載の流体制御弁。
【請求項４】
前記筒状部材には、貫通穴（１５７３ａ）と前記貫通穴の周縁部とが形成されており、
前記支持部（１５７３）は、前記離間部よりも前記プランジャの中心軸寄りに突出する前記周縁部である請求項２に記載の流体制御弁。
【請求項５】
前記支持部と前記離間部は、前記筒状部材の全周にわたって交互に設けられている請求項２から請求項４のいずれか一項に記載の流体制御弁。
【請求項６】
前記筒状部材と前記プランジャとの間には複数の前記間隙が形成され、前記間隙は前記内部通路に連通する流体通路である請求項１から請求項５のいずれか一項に記載の流体制御弁。
【請求項７】
前記間隙は、前記軸方向に細長く延びる前記流体通路である請求項６に記載の流体制御弁。
【請求項８】
前記筒状部材（２５７）には、それぞれ径方向に貫通し周方向に間隔をあけて並んでいる複数の貫通穴（２５７３ａ）が形成されており、
前記筒状部材の内周面（２５７３）は、前記プランジャを前記軸方向に摺動可能に支持し、
前記筒状部材の外周面のうち前記貫通穴の周縁部に相当する部分と前記筒状部材の外周面とは前記間隙形成部分を構成する請求項１に記載の流体制御弁。
【発明の詳細な説明】
【技術分野】
【０００１】
この明細書における開示は、流体制御弁に関する。
【背景技術】
【０００２】
特許文献１には、エンジン冷却回路においてエンジンから流出した流体の流通を許可および阻止する流体制御弁が開示されている。この流体制御弁の弁体は、カバーに形成された筒状の軸受部によって、弁座から離間する位置と弁座に当接する位置とにわたって移動可能に支持されている。
【先行技術文献】
【特許文献】
【０００３】
【特許文献１】特許第５８１１７９７号公報
【発明の概要】
【発明が解決しようとする課題】
【０００４】
特許文献１の流体制御弁では、弁体は軸部が筒状の軸受部の内側に嵌った状態で軸方向に摺動する。作動流体中の異物が弁体の軸部と筒状の軸受部との間に入り込んだ場合、軸受部に対する弁体の軸部の摺動が困難になり、弁体がロックしてしまうという課題がある。
【０００５】
この明細書に開示する目的は、プランジャと筒状部材の間に作動流体中の異物が介在した場合にプランジャがロックすることを抑制できる流体制御弁を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、一つの態様として後述する実施形態に記載の具体的手段との対応関係を示す一例であって、技術的範囲を限定するものではない。
【０００７】
開示された流体制御弁の一つは、液体である作動流体が流通する内部通路（５２０）を有するハウジング（５２）と、弁座部（５６０ｂ）から離間して作動流体の流通を許可する開弁状態と閉弁状態とに切り換えるように内部通路を開閉する弁部（５５０ｂ；５８）と、開弁状態と閉弁状態とにわたって軸方向に変位するプランジャ（５５；１５５）と、通電時にプランジャを軸方向に駆動する磁気力を発生するコイル部（５４０）と、通電時にプランジャとともに磁気回路を形成するヨーク（５６）と、プランジャの外周面を覆うように設けられて、プランジャを軸方向に摺動可能に支持する筒状部材（５７；１５７；２５７）と、を備え、
筒状部材とプランジャとは、互いに径方向に離間して間隙（５２１）を形成する間隙形成部分（５５１，５７２；２５７２）と、軸方向に相対的に摺動する摺動部分（５５１，５７３；１５７３；２５７３）とを形成している。
【０００８】
この流体制御弁によれば、作動流体中の異物がプランジャと筒状部材との間に入り込んだ場合に、間隙形成部分における間隙に異物を収容することができるので、筒状部材に対してプランジャを摺動させることができる。以上より、この流体制御弁によれば、プランジャと筒状部材の間に作動流体中の異物が介在した場合にプランジャがロックすることを抑制できる。
【図面の簡単な説明】
【０００９】
【図１】第１実施形態に係る冷却水回路を示す構成図である。
【図２】開弁状態の流体制御弁について筒状部材以外の部分の縦断面を示した縦断面図である。
【図３】閉弁状態の流体制御弁について筒状部材以外の部分の縦断面を示した縦断面図である。
【図４】図２に示した流体制御弁について、筒状部材とプランジャの関係を示した縦断面図である。
【図５】図３に示した流体制御弁について、筒状部材とプランジャの関係を示した縦断面図である。
【図６】図５におけるＶＩ−ＶＩ切断面を矢視した横断面図である。
【図７】第２実施形態の流体制御弁について筒状部材以外の部分の縦断面を示した縦断面図である。
【図８】第３実施形態の流体制御弁について筒状部材以外の部分の縦断面を示した縦断面図である。
【発明を実施するための形態】
【００１０】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１１】
（第１実施形態）
開示の目的を達成する流体制御弁は、内部を流通する作動流体の圧力が作用する方向と反対の方向を閉弁方向とし、流体通路を開く開弁状態と流体通路を閉じる閉弁状態とを切り換える装置である。流体制御弁によって制御される作動流体は、水、オイル等の液体である。
【００１２】
流体制御弁の一例を開示する第１実施形態について図１〜図６を参照しながら説明する。第１実施形態の流体制御弁５は、液体を作動流体とする冷却水回路１に用いられる。冷却水回路１は、エンジン冷却水が循環する回路であり、車両に設けられたエンジン２の暖機および冷却を効率良く行う機能を有している。図１に示すように、冷却水回路１は、エンジン２、ポンプ３、第１流路１０、第２流路１１、第３流路１２、切換弁４、ヒータコア６、流体制御弁５、ラジエータ７、制御装置８等を備えている。
【００１３】
冷却水はポンプ３から流出し、エンジン２、第１流路１０、第２流路１１、第３流路１２を流通してポンプ３に戻る。制御装置８は、少なくとも一つの演算処理装置と、プログラムとデータとを記憶する記憶媒体としての少なくとも一つのメモリ装置とを有する。制御装置８は、例えばコンピュータによって読み取り可能な記憶媒体を備えるマイクロコンピュータによって提供される。記憶媒体は、コンピュータによって読み取り可能なプログラムを非一時的に格納する非遷移的実体的記憶媒体である。記憶媒体は、半導体メモリまたは磁気ディスクなどによって提供されうる。制御装置８は、一つのコンピュータ、またはデータ通信装置によってリンクされた一組のコンピュータ資源によって提供されうる。プログラムは、制御装置８によって実行されることにより、制御装置８をこの明細書に記載される装置として機能させ、この明細書に記載される方法を実行するように制御装置８を機能させる。制御装置８は、エンジン２の暖機および冷却を行う種々の処理を行うための機能部がハードウェアまたはソフトウェアまたはその両方で構築されている。
【００１４】
ポンプ３は、エンジン２が運転状態である場合に冷却水を駆動させるようにエンジン２の運転と連動する装置である。ポンプ３は、エンジン２が運転状態のときに運転して冷却水を循環させ、エンジン２が停止状態のときに運転しない。ポンプ３には、例えばエンジンの回転によって動作する機械式の流量可変型ポンプが用いられる。ポンプ３は、電動モータを駆動源とし、エンジン２の運転状態とは無関係に作動、停止が可能である装置としてもよい。この場合、ポンプ３は、制御装置８の制御により、吐出する流体の量を変化させることができる。
【００１５】
第１流路１０は、エンジン２から流出した流体をポンプ３を経由してエンジン２に流入させるように、流体がヒータコア６やラジエータ７を経由しないでエンジン２、切換弁４およびポンプ３を循環する流路である。エンジン２の内部には冷却水を流通させる流路が形成されている。エンジン２の内部を流通する冷却水は、エンジン２の熱を吸収して自らの温度を上昇させることでエンジン２の内部温度を低下させている。第２流路１１は、エンジン２から流出した冷却水を、第１流路１０の上流部から分岐して流体制御弁５、ヒータコア６を経由して第１流路１０の下流部に戻す流路である。第２流路１１には流体制御弁５およびヒータコア６が設けられている。第３流路１２は、流体制御弁５よりも上流側である第２流路１１の上流部から分岐して、ラジエータ７を経由して第１流路１０の下流部に戻す流路である。
【００１６】
第３流路１２にはラジエータ７が設けられている。第３流路１２が下流側において第１流路１０に接続する合流部には、切換弁４が設けられている。切換弁４は、エンジン２を流出した冷却水の流路を、第１状態と第２状態と第３状態とに切り換え可能に構成されている。第１状態は、冷却水が第１流路１０を循環するように第１流路１０と第３流路１２とを連通させない状態である。第２状態は、冷却水が第３流路１２を経由してエンジン２に戻るように切換弁４によって第３流路１２とエンジン側の通路とを接続する状態である。第３状態は、切換弁４において接続されている３つの通路をすべて開放する状態である。切換弁４は、例えば冷却水が所定の温度条件を満たす場合に第３状態に流路を切り換え、所定の温度条件を満たさない場合に第１状態に流路を切り換える装置であり、例えばサーモスタット弁によって構成することができる。つまり、切換弁４は、感温ワックスに加えられた熱の量（冷却水温度）に応じて弁開度が変化する。
【００１７】
流体制御弁５は、第２流路１１においてヒータコア６よりも上流側または下流側に設けられ、その開度を閉弁状態または開弁状態の２つの状態に切り換え可能な弁である。流体制御弁５が閉弁状態である場合、冷却水は第１状態で第２流路１１には流れず第１流路１０のみに流れ、第２状態で第３流路１２のみに流れる。流体制御弁５が開弁状態である場合、冷却水は第１状態で第１流路１０と第２流路１１の両方に流れる。以上のように、第２流路１１、第３流路１２は第１流路１０に対して並列状態で構成されている。
【００１８】
制御装置８は、冷却水温度センサによって検出される冷却水の温度に基づいて流体制御弁５を制御する。エンジン２の始動後、冷却水温度があらかじめ定めた第１温度未満である場合は、切換弁４によって第１状態に維持され、制御装置８によって流体制御弁５を閉弁状態に制御する。冷却水は第１流路１０のみを循環するので、エンジン２の暖機が促進される。
【００１９】
冷却水温度が第１温度以上になると、エンジン２の暖機制御を終了する。冷却水温度が第１温度よりも高温に設定された第２温度以上になると、切換弁４によって第２状態または第３状態に切り換えられて、冷却水は第３流路１２を循環しラジエータ７において冷却水の放熱が行われる。制御装置８によって通電が遮断されて流体制御弁５が開弁状態に制御されると、冷却水は第２流路１１を循環し、ヒータコア６においても冷却水の放熱が行われる。また、第１状態である場合に、ヒータコア６において冷却水からの放熱が必要である場合は、制御装置８によって通電が遮断されて流体制御弁５を開弁状態に制御することがある。
【００２０】
また他の形態として、前述した冷却水回路１は、エンジン２から流出した流体がヒータコア６やラジエータ７を経由しないでエンジンに戻る経路をなす第１流路１０を備えていない構成であってもよい。切換弁４は、前述の第２状態を実施しないように冷却水回路１の流路を切り換える構成でもよい。制御装置８は、エンジン油温、あるいはトランスミッション等の油温を検出するセンサの検出値に基づいて流体制御弁５を制御するように構成してもよい。
【００２１】
次に流体制御弁５について、図２〜図６を用いて説明する。図２、図４は開弁状態を示しており、図３、図５は閉弁状態を示している。図６は、流体制御弁５における中間ハウジング５２の内部を示す横断面を示している。
【００２２】
流体制御弁５は、弁部５５０ｂを備えた可動コアであるプランジャ５５、シートバルブである弁座部５６０ｂを備えたヨーク５６、筒状部材５７、電磁ソレノイド部５４等を備えている。流体制御弁５は、弁部５５０ｂが弁座部５６０ｂから離間していく方向である開弁方向に作動流体の圧力が作用する構成を有する電磁弁装置である。つまり、流体制御弁５は、流体圧力に抗する方向に弁部５５０ｂの閉弁方向が設定されている電磁弁装置である。流体制御弁５は、作動流体から受ける流体圧力と通電により発生する磁気力とのバランス状態に応じて、ハウジング内に設けられた内部通路５２０を開閉する。内部通路５２０は、中間ハウジング５２の内部においてヨーク５６の上流側開口部５６０ａを入口とする通路を構成する。
【００２３】
プランジャ５５は、軸方向の一端側が閉じられた形状であり、他端側が開口しているカップ状体である。プランジャ５５は、流入ポート５１０側に設けられた上流側盤部５５０と、流出ポート５３０側に設けられた下流側環状部５５２と、上流側盤部５５０と下流側環状部５５２とを連絡する筒状部５５１とを備えている。上流側盤部５５０は、筒状部５５１と同程度の外径寸法を有し、流入ポート５１０側に位置する面に弁座部５６０ｂに着座する弁部５５０ｂを備えている。上流側盤部５５０は、プランジャ５５において筒状部５５１よりも上流側に設けられており、表面が平らに形成されたプランジャ側盤部に相当する。弁部５５０ｂは、ヨーク５６の一部として設けられた弁座部５６０ｂに対して、プランジャ５５において対向する位置に設けられている。
【００２４】
筒状部材５７は、プランジャ５５の外周面を覆うようにプランジャ５５と同軸状に設けられている。筒状部材５７は、中間ハウジング５２の内部において固定されて、プランジャ５５を軸方向に摺動可能に支持する部材である。筒状部材５７は、例えばヨーク５６とボビン５４１とによって動かないように支持されている。筒状部材５７の外周面を形成する部分は、ボビン５４１に接触して支持されている。軸方向は、プランジャ５５の中心軸に沿う方向または筒状部材５７の中心軸に沿う方向であり、プランジャ５５の移動方向でもある。上流側盤部５５０は、少なくとも弁部５５０ｂが軸方向に対して直交する面を形成するように設けられている。また、上流側盤部５５０は、少なくとも弁部５５０ｂが弁座部５６０ｂに対して平行な面を形成するように設けられている。
【００２５】
プランジャ５５は、例えば磁性材料で構成されている。弁部５５０ｂは磁性材料で形成されている構成でもよい。プランジャ５５は、弁部５５０ｂの表面に研磨処理または切削処理が施されていない部材である。プランジャ５５を製造する際のプレス加工においては、板材を絞り加工、曲げ加工を用いた成形を行う。また、プランジャ５５は、鍛造、転造のいずれかによって形成された部材である。鍛造や転造は、材料を切削しないで圧縮力によって所定の形状に成形する加工技術であるため、弁部５５０ｂの表面に研磨処理または切削処理が施されていないプランジャ５５を形成することができる。プランジャ５５は、弁部５５０ｂの表面に研磨処理または切削処理が施されていない、プレス加工、鍛造、圧造、面押し、転造、鋳造のいずれか、またはこれらのうち複数の組み合わせによって形成された部材である。弁部５５０ｂの表面は、弁座部５６０ｂに対して平行に成形された板材の表面によって構成されることになる。このような成形により、成形後に弁部５５０ｂの表面に研磨処理、切削処理等の仕上げ加工を施さずとも、弁座部５６０ｂとの閉弁性能を確保可能な弁部５５０ｂの表面を形成することができる。
【００２６】
下流側環状部５５２は、筒状部５５１よりも大きい外径寸法であって筒状部５５１に対して直交するように放射状に広がる形状であるフランジ状部である。下流側環状部５５２には、筒状部５５１よりも径外寄りに位置する下流側通路５５２ａが軸方向に貫通している。下流側通路５５２ａは、下流側環状部５５２において周方向に複数個並ぶように設けられている。下流側通路５５２ａは、上流側において、筒状部５５１と筒状部材５７との間に設けられた連通路５２１に通じ、下流側において流出ポート５３０に通じている。
【００２７】
連通路５２１は、筒状部材５７とプランジャ５５とが互いに径方向に離間して形成された間隙に相当する流体通路であり、上流側において内部通路５２０に通じている。連通路５２１は、プランジャ５５の外側であってコイル部５４０の内側に作動流体が流通する流体通路である。このように内部通路５２０、連通路５２１および下流側通路５５２ａは、流入ポート５１０と流出ポート５３０とを連通する通路を構成している。
【００２８】
プランジャ５５は、少なくとも下流側環状部５５２が、ヨーク５６の下流端に位置する第２筒状部５６５に内挿された状態で軸方向に摺動可能に支持されている。また、プランジャ５５は、少なくとも筒状部５５１が、ボビン５４１よりも内側に設けられた筒状部材５７に部分的に支持されている構成によって、軸方向に摺動可能である。筒状部材５７は、ボビン５４１と同様に、非磁性材料で形成されている。
【００２９】
図２〜図６に示すように、筒状部材５７には、間隔をあけて周方向に並ぶ複数の凹部が設けられている。この凹部は、離間部５７２よりもプランジャ５５の中心軸寄りに凹んだ部分である。この凹部は、凹部の内周側面においてプランジャ５５を軸方向に摺動可能に支持する支持部５７３である。支持部５７３は凹部の底部であり、離間部５７２よりもプランジャ５５の中心軸寄りに位置している。支持部５７３は、凹部の底部においてプランジャ５５の外周面が軸方向に滑るようにプランジャ５５を支持している。
【００３０】
隣り合う支持部５７３と支持部５７３の間には離間部５７２が設けられている。このように筒状部材５７の外周面は、周方向に凹面と凸面とが交互に並ぶ形状をなしている。この凹部は離間部５７２に対して周方向に隣接し軸方向に細長い溝部でもある。支持部５７３は、筒状部材５７において離間部５７２の上流端部よりも下流の位置から下流端部５７１にわたって延びるように設けられている。
【００３１】
筒状部材５７には、プランジャ５５の外周面に対して間隙を形成するように離間する離間部５７２が設けられている。この間隙は内部通路５２０に連通する流体通路である連通路５２１を構成する。離間部５７２は、筒状部材５７の外周面において上流端部５７０から下流端部５７１にわたって延びるように軸方向全体に設けられている。この間隙は、軸方向に細長く延びる流体通路を構成する。支持部５７３と離間部５７２は、筒状部材５７の全周にわたって交互に設けられているため、筒状部材５７とプランジャ５５とは複数の間隙を形成している。
【００３２】
離間部５７２は、上流端部５７０において筒状部材５７の全周にわたって設けられている。離間部５７２は、支持部５７３の上流端部から下流端部５７１にかけては支持部５７３に両側に分岐するように設けられている。この構成によれば、開弁状態において内部通路５２０を流下した作動流体は、筒状部材５７の内側を、まずプランジャ５５の外周面全周にわたって環状の流れを形成しながら流れる。さらに作動流体は、支持部５７３の上流端部において支持部５７３の両側に設けられた間隙に分流し、全周にわたって並ぶ複数の間隙を流下し、下流側通路５５２ａを介して流出ポート５３０に流出する。作動流体は、筒状部材５７の内側を上流端部５７０側においては環状を形成しながら流下し、これよりも下流側においては周方向に間隔をあけて並ぶ複数の筋状を形成しながら流下して筒状部材５７から流出することになる。
【００３３】
流体制御弁５において流体通路を形成するハウジング本体は、作動流体が流入する流入通路である流入ポート５１０が設けられた流入側ハウジング５１と、流出通路である流出ポート５３０が設けられた流出側ハウジング５３と、中間ハウジング５２とを備える。中間ハウジング５２は、流入側ハウジング５１と流出側ハウジング５３とを連結する。流入側ハウジング５１は、下流端部に設けられたフランジ部が中間ハウジング５２に一体に結合されている。
【００３４】
流出側ハウジング５３は、上流端部に設けられたフランジ部が中間ハウジング５２に一体に結合されている。流入側ハウジング５１、中間ハウジング５２および流出側ハウジング５３は、樹脂材料で形成され、結合部において溶着接合されている。
【００３５】
中間ハウジング５２は、ヨーク５６、プランジャ５５、筒状部材５７、コイル部５４０、ボビン５４１等を内蔵している。ヨーク５６は、プランジャ５５と同様に、例えば磁性材料で構成されている。弁座部５６０ｂは磁性材料で形成されている構成でもよい。ヨーク５６は、磁気回路の一部を構成し、ボビン５４１、筒状部材５７を中間ハウジング５２の内部で支持している。ヨーク５６は、ボビン５４１およびコイル部５４０の外周側を覆うように設けられている。ヨーク５６、プランジャ５５、コイル部５４０、ボビン５４１および筒状部材５７は、中心軸が同軸状をなすように設置されている。
【００３６】
電磁ソレノイド部５４は、ヨーク５６、コイル部５４０、ボビン５４１、コネクタ等を備えて構成されている。コネクタは、ヨーク５６の側方または外側に位置するように設けられる。コネクタは、コイル部５４０に通電するために設けられており、内部のターミナル端子は、コイル部５４０と電気的に接続されている。電磁ソレノイド部５４は、コネクタによってターミナル端子を電流制御装置等に電気的に接続することにより、コイル部５４０に通電する電流を制御できる。ボビン５４１は、樹脂材により円筒状に形成され、外周面にはコイル部５４０が巻回されている。コイル部５４０に通電が行われると、発生した磁束はヨーク５６とプランジャ５５とを循環するように流れる磁気回路を形成する。
【００３７】
ヨーク５６は、軸方向の両端が開口している筒状体である。ヨーク５６は、流入ポート５１０側に設けられた上流側の第１環状部５６０と、プランジャ５５の中心軸に対して傾斜する傾斜部５６１と、傾斜部５６１の下流端部から径外側に延びる第２環状部５６２と、を備えている。ヨーク５６は、さらに第２環状部５６２の外周縁から軸方向に延びる第１筒状部５６３と、下流側の端部において軸方向に延びる断面形状である第２筒状部５６５と、第１筒状部５６３と第２筒状部５６５とをつなぐ下流側環状部５６４とを備えている。下流側環状部５６４は、第１筒状部５６３の下流端部から径外側に放射状に延びて外周側において第２筒状部５６５と一体になっている。
【００３８】
第１環状部５６０は、ヨーク５６において傾斜部５６１よりも上流側に設けられており、表面が平らに形成されたヨーク側盤部に相当する。傾斜部５６１は、上流側の端部が第１環状部５６０に連結し、下流側の端部が第２環状部５６２に連結する形状の筒状部である。傾斜部５６１は、プランジャ５５の筒状部５５１に対して傾斜する断面形状をなす部分である。以下、傾斜部および平行部に関わる断面形状とは、プランジャ５５等の軸方向に沿う縦断面形状のことである。傾斜部５６１は、上流側の端部が下流側の端部よりも外径寸法が小さく形成されている。したがって、傾斜部５６１は、下流側に向かうほど、直径が大きくなるように筒状部５５１に対して傾斜している。傾斜部５６１における上流側の端部は、筒状部５５１よりも直径寸法が大きく構成されている。
【００３９】
第１環状部５６０は、プランジャ５５の上流側盤部５５０に接触可能で、上流側盤部５５０よりも大きい直径寸法を有し、プランジャ５５と同軸に形成された上流側開口部５６０ａを貫通孔として有する。第１環状部５６０と上流側盤部５５０は、軸方向に向かい合う部分であって互いに沿うような断面形状をなす平行部をなしている。
【００４０】
第１環状部５６０は、下流側に位置する面に弁部５５０ｂに接触する弁座部５６０ｂを備えている。第１環状部５６０は、少なくとも弁座部５６０ｂが軸方向に対して直交する面を形成するように設けられている。また、上流側盤部５５０は、少なくとも弁部５５０ｂが弁座部５６０ｂに対して平行な面を形成するように設けられている。弁座部５６０ｂは、プランジャ５５の一部として設けられた弁部５５０ｂに対して、ヨーク５６において対向する位置に設けられている。閉弁状態において弁座部５６０ｂは、第１環状部５６０において上流側開口部５６０ａよりも径外側に、環状面または環状線を形成するように弁部５５０ｂに接触する部分である。
【００４１】
流体制御弁５は、図２、図４に示す開弁状態における通電時に、下流側においてプランジャ５５とヨーク５６との間を磁束が通る磁気経路である第１経路を形成する。流体制御弁５は、図３、図５に示す閉弁状態における通電時に、上流側と下流側とにおいてプランジャ５５とヨーク５６との間を磁束が通る磁気経路である第２経路を形成する。第２経路は、第１経路とは異なる部位においてプランジャ５５とヨーク５６との間を磁束が通る磁気経路である。上流側に形成される第２経路は、上流側盤部５５０と第１環状部５６０との間に磁束が通る磁気経路であり、弁部５５０ｂと弁座部５６０ｂを通過する経路である。下流側に形成される第２経路は、第２筒状部５６５と下流側環状部５５２との間に磁束が通る磁気経路である。
【００４２】
図２、図４に示すように開弁状態で通電中であると、プランジャ５５とヨーク５６の下流端部においては、下流側環状部５５２と第２筒状部５６５との間の第１経路に磁束が通る。開弁状態で下流側におけるプランジャ５５とヨーク５６との距離は、下流側環状部５５２と第２筒状部５６５との間が最も短くなっている。
【００４３】
図２、図４に示す開弁状態から閉弁状態に近づけていき図３、図５に示す閉弁状態になると、第２経路が第１経路よりも支配的となる逆転現象が起こる。これは、互いに平行部を構成する下流側環状部５５２と下流側環状部５６４とが接触し、または下流側においてプランジャ５５とヨーク５６との間において最も近接するからである。下流側において下流側環状部５５２と下流側環状部５６４との間が、磁気抵抗が最も小さい部位であり、磁束が最も大きい部位になる。閉弁状態では、さらにプランジャ５５とヨーク５６の上流側端部において、上流側盤部５５０と第１環状部５６０との間を磁束が通る第２経路が支配的になる。このように第２経路が支配的になるのは、互いに平行部を構成する上流側盤部５５０と第１環状部５６０とが接触し、または上流側においてプランジャ５５とヨーク５６との間において最も近接するからである。
【００４４】
このように流体制御弁５は、下流側において、閉弁状態の直前においてプランジャ５５の吸引力が第２経路の方が第１経路よりも大きくなるように変化する。流体制御弁５は、第２経路によって弁部５５０ｂを弁座部５６０ｂに吸着する構成を上流側と下流側の両方に備えることにより、弁部５５０ｂに作用する流体圧力に対して弁部５５０ｂを弁座部５６０ｂに着座させることができ、閉弁時の吸着保持力を強化できる。
【００４５】
プランジャ５５を吸引する吸引力は、開弁状態から閉弁状態に近づく間は第１経路の方が第２経路よりも大きく、閉弁状態の直前で逆転現象が起きて閉弁状態では第２経路の方が第１経路よりも大きくなるという特性がある。図２、図４に示すように、通電時の開弁状態においては、第１経路が第２経路よりも支配的な磁気経路になる。これは、プランジャ５５とヨーク５６との間において、下流側環状部５５２と第２筒状部５６５との距離が最も短くなり磁気抵抗が最も小さい部位であり、磁束が最も大きい部位になるからである。このため、流体制御弁５は、開弁状態ではプランジャ５５を吸引する吸引力が第２経路よりも第１経路の方が大きくなる。したがって、流体制御弁５は、第１経路において吸引し始める構成を採用することによって、弁部５５０ｂに作用する流体圧力に反してプランジャ５５を吸引することができ、通電開始時の吸引性能を強化できる。
【００４６】
開弁状態から閉弁状態に近づけていくと、流体制御弁５は、閉弁状態の直前においてプランジャ５５の吸引力が第２経路の方が大きくなるように変化する。したがって、流体制御弁５は、第２経路によって弁部５５０ｂを弁座部５６０ｂに吸着する構成を採用することにより、弁部５５０ｂに作用する流体圧力に対して閉弁時の吸着保持力を強化することができる。以上のように、流体制御弁５は、第１経路と第２経路の両方の吸引力に係る有利な特性を併せ持った電磁弁を提供している。
【００４７】
次に、第１実施形態の流体制御弁５がもたらす作用効果について説明する。流体制御弁５は、作動流体が流通する内部通路５２０を有するハウジングと、弁座部５６０ｂから離間して作動流体の流通を許可する開弁状態と閉弁状態とに切り換えるように内部通路５２０を開閉する弁部５５０ｂとを備える。流体制御弁５は、開弁状態と閉弁状態とにわたり軸方向に変位するプランジャ５５と、通電時にプランジャ５５を軸方向に駆動する磁気力を発生するコイル部５４０と、通電時にプランジャ５５とともに磁気回路を形成するヨーク５６と、筒状部材５７とを備える。筒状部材５７は、プランジャ５５の外周面を覆うように設けられて、プランジャ５５を軸方向に摺動可能に支持する。筒状部材５７とプランジャ５５とは、互いに径方向に離間して間隙を形成する間隙形成部分と、軸方向に相対的に摺動する摺動部分とを形成している。
【００４８】
この流体制御弁５によれば、作動流体中の異物がプランジャ５５と筒状部材５７との間に入り込んだ場合に、間隙形成部分によって形成された間隙に異物を収容することができる。異物は、形状が容易に変化しない固形物または、流動過程で変形するような流動状物である。流動状物には泥状のスラリーを含んでいる。この間隙は異物がプランジャ５５と筒状部材５７との両方に同時に接触しない径方向寸法に設定されているため、異物がプランジャ５５の軸方向変位を妨げない。これにより、作動流体中の異物がプランジャ５５と筒状部材５７との間に入り込んだ場合でも、直ちにプランジャ５５の動作が停止しないように、筒状部材５７に対してプランジャ５５を摺動させることができる。以上より、この流体制御弁５によれば、プランジャ５５と筒状部材５７の間に作動流体中の異物が介在した場合にプランジャ５５がロックすることを抑制できる。
【００４９】
筒状部材５７は、プランジャ５５の外周面に対して間隙を形成するように離間する離間部５７２と、離間部５７２よりもプランジャ５５の中心軸寄りに位置してプランジャ５５を軸方向に摺動可能に支持する支持部５７３とを有する。この構成によれば、プランジャ５５よりも薄肉である筒状部材５７を、離間部５７２と支持部５７３とを有するように製造することによって、プランジャ５５の軸方向変位と異物収容機能とを併せ持つ流体制御弁５を提供できる。
【００５０】
支持部５７３は、離間部５７２よりもプランジャ５５の中心軸寄りに凹んだ凹部である。この構成によれば、筒状部材５７に離間部５７２よりも径内側に凹む凹部を形成することにより、プランジャ５５の安定的な軸方向変位と異物収容機能とを併せ持つ流体制御弁５を提供できる。
【００５１】
支持部５７３と離間部５７２は、筒状部材５７の全周にわたって交互に設けられている。この構成によれば、プランジャ５５の全周において、プランジャ５５と筒状部材５７における摺動部分と間隙とを均等的に配置することができる。これにより、プランジャ５５の軸方向変位の安定性と高範囲にわたる異物収容性能とを両立する流体制御弁５を提供できる。
【００５２】
連通路５２１は、筒状部材５７とプランジャ５５との間隙である。この間隙は、内部通路５２０に連通する流体通路である。この間隙は、プランジャ５５の外側であってコイル部５４０の内側に作動流体が流通する流体通路である。この構成によれば、この間隙には開弁状態において作動流体が流れるので、通電によるコイル部５４０からの発熱を作動流体によって抑えることができる。さらに筒状部材５７とプランジャ５５との間に作動流体が流れるため、筒状部材５７とプランジャ５５とにおける摺動抵抗を低減できるという効果を奏する。
【００５３】
筒状部材５７とプランジャ５５との間には複数の間隙が形成されている。それぞれの間隙は軸方向に細長く延びる流体通路である。この構成によれば、開弁状態において内部通路５２０を流下する作動流体は、この間隙に流入して軸方向に流れて下流側通路５５２ａを介して流出ポート５３０に流れ出る。これにより、作動流体はプランジャ５５の外側を軸方向に複数に分流して層状に流れることになる。したがって、流体制御弁５は、通電によるコイル部５４０からの発熱をプランジャ５５の周囲全体にわたって抑える効果を奏する。
【００５４】
流体制御弁５は、プランジャ５５とヨーク５６との間を磁束が通る磁気経路である第１経路と、第１経路とは異なる部位においてプランジャ５５とヨーク５６との間を磁束が通る磁気経路である第２経路とを備える。開弁状態での通電開始時は、第１経路の方が第２経路よりも磁束が大きくなる磁気経路を形成し、閉弁状態では第２経路の方が第１経路よりも磁束が大きくなる磁気経路を形成する。
【００５５】
この流体制御弁５によれば、通電開始時に、第２経路よりも磁束が大きい第１経路を通る磁気経路によって発生する駆動力を利用してプランジャ５５を流体圧力に抗して吸引し始めることができる。さらに開弁状態から閉弁状態に至る過程において、第１経路よりも磁束が大きい第２経路を通る磁気経路によって発生する駆動力を利用して、弁部５５０ｂを弁座部５６０ｂに吸着し、閉弁状態を維持することができる。このように開弁状態での通電開始時に第１経路を通る磁気経路が支配的になることにより、プランジャ５５を弁座部５６０ｂ側に吸引する吸引力を発揮させて作動流体の圧力に抗する方向に弁部５５０ｂを移動させる駆動力を得ることができる。そして閉弁状態では第２経路を通る磁気経路が支配的になることにより、弁部５５０ｂを弁座部５６０ｂに接触させた状態に維持する吸着力を発揮させて内部通路５２０を閉じ続けることができる。以上より、流体制御弁５は、作動流体の圧力に抗して閉弁する閉弁性能の向上を図ることができる。
【００５６】
さらに、スプリングなどの付勢力に頼らずに、開弁状態からの閉弁動作と閉弁状態の維持とを両立できるので、スプリングの具備や付勢力の強化などに伴う装置の大型化を抑制できる。流体制御弁５は、さらにプランジャ５５とヨーク５６とが弁部５５０ｂと弁座部５６０ｂの機能を備えるので、別個の弁体を備える必要がなく部品点数や部品管理工数を抑制できる。
【００５７】
流体制御弁５は、プランジャ５５とヨーク５６とで磁気回路を形成する構成を備えることにより、装置の部品点数抑制に寄与し、さらに磁気回路におけるエアギャップを抑えることができる。
【００５８】
流体制御弁５は、開弁状態における通電開始時（吸引開始時）に最大電圧に制御され、閉弁状態である吸着保持時に吸引開始時よりも小さい電圧に制御されるようにしてもよい。この制御を採用した場合には、前述した第１経路と第２経路を備える構成により、通電電圧を抑えても吸引開始と吸着保持とを満足することができる流体制御弁５を提供できる。
【００５９】
弁部５５０ｂと弁座部５６０ｂは、閉弁状態において第２経路を形成する平行部に設けられている。この構成によれば、弁部５５０ｂと弁座部５６０ｂは、プランジャ５５とヨーク５６との重複面積または接触面積が大きく磁束が大きい第２経路が形成されている平行部に設けられている。したがって、電磁力による吸着力が作用する部位に弁機能を備えた流体制御弁５を提供でき、弁の締切性能を高めることができる。
【００６０】
流体制御弁５において第２経路は複数の部位に設定されている。複数の部位に設定された第２経路の少なくとも一つは、閉弁状態においてプランジャ５５とヨーク５６とが接触する部位に形成されていることが好ましい。この構成によれば、複数の第２経路の少なくとも一つがプランジャ５５とヨーク５６とを接触させた部位に設けられていることにより、弁部５５０ｂに作用する流体圧力に対して弁部５５０ｂの閉弁状態を継続できる吸着力を提供でき、閉弁時の吸着保持力を強化できる。
【００６１】
第２経路は、閉弁状態においてプランジャ５５とヨーク５６とが接触する部位に形成されていることが好ましい。この構成によれば、流体制御弁５はプランジャ５５とヨーク５６とを接触させた部位に第２経路を備えることにより、弁部５５０ｂに作用する流体圧力に対して弁部５５０ｂの閉弁状態を継続できる吸着力を提供でき、閉弁時の吸着保持力を強化できる。
【００６２】
（第２実施形態）
第２実施形態について、図７を参照して説明する。第２実施形態の流体制御弁１０５は、第１実施形態に対して、筒状部材１５７における支持部１５７３が相違する。第２実施形態で特に説明しない構成、作用、効果については、第１実施形態と同様であり、以下、第１実施形態と異なる点についてのみ説明する。
【００６３】
筒状部材１５７には、外周壁を径方向に貫通する貫通穴１５７３ａが設けられている。筒状部材１５７には、間隔をあけて周方向に並ぶ複数の貫通穴１５７３ａが設けられている。貫通穴１５７３ａは軸方向に細長い開口であり、スリットとも呼ばれる。貫通穴１５７３ａは、筒状部材１５７において上流端部５７０から下流端部５７１にわたって軸方向全体に設けられている。隣り合う貫通穴１５７３ａと貫通穴１５７３ａの間には離間部５７２が設けられている。貫通穴１５７３ａと離間部５７２は、筒状部材１５７の全周にわたって交互に設けられている。
【００６４】
貫通穴１５７３ａの周縁部は、貫通穴１５７３ａの周囲を取り囲む部分であり、周縁部の先端は離間部５７２よりもプランジャ５５の中心軸寄りに位置している。貫通穴１５７３ａの周縁部は、プランジャ５５または筒状部材１５７の中心軸に向けて突出する形状であり、離間部５７２よりもプランジャ５５の中心軸寄りにおいてプランジャ５５を軸方向に摺動可能に支持する支持部１５７３である。すなわち、貫通穴１５７３ａの周縁部は、先端においてプランジャ５５の外周面が軸方向に滑るようにプランジャ５５を支持している。貫通穴１５７３ａの周縁部は、貫通穴１５７３ａの輪郭に沿う形状によって、プランジャ５５の外周面を摺動可能に支持している。貫通穴１５７３ａの周縁部と離間部５７２は、筒状部材１５７の全周にわたって交互に設けられている。貫通穴１５７３ａは、プランジャ５５の外周面とボビン５４１の内周部との間に空間を形成する。この空間は、離間部５７２とプランジャ５５の外周面との間に形成された間隙と同様に、異物を逃がす機能を有する。
【００６５】
第２実施形態によれば、筒状部材１５７には、貫通穴１５７３ａと貫通穴１５７３ａの周縁部とが形成されている。貫通穴１５７３ａの周縁部は、離間部５７２よりもプランジャ５５の中心軸寄りに突出する支持部１５７３である。この構成によれば、プランジャ５５の安定的な軸方向変位と異物収容機能とを併せ持つことに加え、貫通穴１５７３ａの周縁部によって摺動部分の面積を抑えた流体制御弁１０５を提供できる。この流体制御弁１０５は、筒状部材１５７とプランジャ５５との摺動部分の抵抗を抑えるという効果を奏する。
【００６６】
（第３実施形態）
第３実施形態について、図８を参照して説明する。第３実施形態の流体制御弁２０５は、第１実施形態に対して、筒状部材２５７が相違する。また流体制御弁２０５では、プランジャ１５５とヨーク１５６とに通る磁気経路に関して、上流側部位においては前述の実施形態と同様であるが下流側部位においては相違する。第３実施形態で特に説明しない構成、作用、効果については、第１実施形態と同様であり、以下、第１実施形態と異なる点についてのみ説明する。
【００６７】
図８は開弁状態を示している。流体制御弁２０５は、シートバルブである弁座５１１、弁部５８、プランジャ１５５等を備えている。流体制御弁２０５のヨーク１５６は、弁部５８側の一端部に設けられた第１環状部５６０と、傾斜部５６１と、傾斜部５６１の下流側端部から径方向に延びる第２環状部５６２と、第２環状部５６２の外周縁から軸方向に延びる第１筒状部５６３とを備えている。流入側ハウジング１５１は、内部において流入ポート５１０の周囲に、閉弁方向に変位する弁部５８が着座する弁座５１１を備えている。閉弁状態において弁座５１１は、環状面または環状線を形成するように弁部５８に接触している。流体制御弁２０５は、弁部５８が弁座５１１から離間していく方向である開弁方向に作動流体の圧力が作用する構成を有する電磁弁装置である。流体制御弁２０５は、作動流体から受ける流体圧力と通電により発生する磁気力とのバランス状態に応じて、流入側ハウジング１５１内に設けられた内部通路５１２を開閉する。流入側ハウジング１５１は、樹脂材料で形成され、中間ハウジング５２と溶着接合されている。流入側ハウジング１５１は、弁部５８、支持部材５９の大部分等を内蔵している。
【００６８】
プランジャ１５５は、弁部５８側である筒状部５５１の一端部に設けられた上流側環状部１５５０と、筒状部５５１の他端部に設けられた下流側環状部５５２とを備えている。上流側環状部１５５０は、筒状部５５１と同じ直径寸法を有し、筒状部５５１と同軸上である上流側開口部５５０ａを貫通孔として有している。上流側環状部１５５０は、弁部５８とは反対側の面で支持部材５９の下流側端部に接触して支持部材５９を軸方向に変位可能に支持している。軸方向は弁部５８の移動方向でもある。これにより、支持部材５９は、プランジャ１５５と一緒に軸方向に変位する。流体制御弁２０５における下流側環状部５５２には、下流側通路５５２ａが設けられていない。筒状部５５１の内側には、流体通路５５３が設けられている。流体通路５５３は、上流側開口部５５０ａを流体流入口としている。プランジャ１５５は、磁気を通す材質、例えば磁性材料で構成されている。
【００６９】
支持部材５９は、弁部５８が結合することにより弁部５８と一体に構成されている。支持部材５９は、上流側筒状部５９２と、上流側筒状部５９２の上流端部に一体に設けられた円盤状の上流側盤部５９０と、上流側筒状部５９２の下流端部と一体に設けられて上流側筒状部５９２よりも直径寸法が小さい下流側筒状部５９３とを備えている。上流側盤部５９０には弁部５８が固定されている。上流側筒状部５９２には、径方向に貫通する流体通路５９１が設けられている。上流側筒状部５９２には、少なくとも一つの流体通路５９１が設けられている。流体通路５９１は、上流側で内部通路５１２に連通し、下流側で上流側開口部５５０ａを介して流体通路５５３に連通している。
【００７０】
下流側筒状部５９３はヨーク１５６の第１環状部５６０に設けられた上流側開口部５６０ａに内挿された状態で、軸方向に摺動可能に支持されている。支持部材５９は、開弁状態において上流側筒状部５９２の下流側端部が第１環状部５６０に接触することでそれ以上開弁方向に変位することが規制されている。したがって、下流側筒状部５９３は、ヨーク１５６によって、軸方向について所定の範囲で変位可能であり、径方向にはほぼ移動不可能に規制されている。支持部材５９は、例えば樹脂材料等の磁気を通しにくい材料で形成されている。したがって、支持部材５９は磁気回路を形成しないように構成されている。
【００７１】
弁部５８は、ゴム等の弾性変形可能な材質で形成されている。弁部５８は、軸方向の下流側に延びる軸部が上流側盤部５９０の貫通孔に嵌っている状態で支持部材５９に一体に装着されている。弁部５８は、流入側ハウジング１５１に設けられた弁座５１１に対して軸方向に対向する位置に設けられている。
【００７２】
開弁状態での通電開始時には、上流側におけるプランジャ１５５とヨーク１５６との距離は、傾斜部５６１と筒状部５５１との間が最も短くなっている。このように開弁状態では、傾斜部５６１と筒状部５５１との間を磁束が通る第１経路である磁気経路が第２経路よりも磁束が大きくなる。流体制御弁２０５においても、開弁状態での通電開始時は第１経路の方が第２経路よりも磁束が大きくなる磁気経路を形成する。また通電時には、第１筒状部５６３と下流側環状部５５２との間にも磁束が通る磁気経路が形成されることになる。
【００７３】
第１環状部５６０と上流側環状部１５５０は、軸方向に向かい合う部分であって互いに沿うような断面形状をなす平行部をなしている。傾斜部および平行部に関わる断面形状とは、プランジャ１５５等の軸方向に沿う縦断面形状のことである。第１環状部５６０は、弁部５８が弁座５１１に接触している閉弁状態において、弁部５８とは反対側の下流側面１５６０ｂが上流側環状部１５５０の弁部５８側に位置する上流側面１５５０ｂに接触するような位置に設けられている。下流側面１５６０ｂと上流側面１５５０ｂとは、軸方向に向かい合う部分であって互いに沿う平行部をなしている。したがって、閉弁状態では、第１環状部５６０と上流側環状部１５５０とが接触する部分に磁束が通る第２経路である磁気経路が形成されている。
【００７４】
流体制御弁２０５においても、開弁状態から閉状態に近づけていき、閉弁状態になると、第２経路が第１経路よりも支配的となる逆転現象が起こる。これは、閉弁状態に近づくと、互いに平行部を構成する第１環状部５６０と上流側環状部１５５０とが対面して上流側においてプランジャ１５５とヨーク１５６との間において最も近接するからである。
【００７５】
筒状部材２５７に、外周壁を径方向に貫通する貫通穴２５７３ａが設けられている。筒状部材２５７には、間隔をあけて周方向に並ぶ複数の貫通穴２５７３ａが設けられている。貫通穴２５７３ａは軸方向に細長い開口であり、スリットとも呼ばれる。貫通穴２５７３ａは、筒状部材２５７において上流端部から下流端部にわたって軸方向全体に設けられている。隣り合う貫通穴２５７３ａと貫通穴２５７３ａの間には、矩形状の側壁部が設けられている。貫通穴２５７３ａと側壁部は、筒状部材２５７の全周にわたって交互に設けられている。このように筒状部材２５７において、肉抜きした部分は貫通穴２５７３ａに相当し、肉抜きした部分以外の残っている部分は側壁部に相当する。
【００７６】
側壁部の内面や、筒状部材２５７の内周面のうち貫通穴２５７３ａの周縁部に相当する部分は、支持部２５７３を構成する。筒状部材２５７の外周面のうち貫通穴２５７３ａの周縁部に相当する部分は、離間部２５７２を構成する。支持部２５７３は離間部２５７２よりもプランジャ１５５の中心軸寄りに位置している。支持部２５７３は、離間部２５７２よりもプランジャ１５５の中心軸寄りにおいてプランジャ１５５を軸方向に摺動可能に支持する。すなわち、支持部２５７３は、プランジャ１５５の外周面が軸方向に滑るようにプランジャ１５５を支持している。また、筒状部材２５７は、筒状部材２５７の内面によって、プランジャ１５５の外周面を摺動可能に支持する構成でもよい。
【００７７】
離間部２５７２は、プランジャ１５５の外周面に対して径方向に離間している。この構成により、貫通穴２５７３ａは、前述の実施形態と同様に間隙を形成するため、この間隙には前述の実施形態と同様に異物を収容することができる。支持部２５７３は、互いに径方向に離間して間隙を形成する間隙形成部分を構成する。このように筒状部材２５７とプランジャ１５５とは、互いに径方向に離間して間隙を形成する間隙形成部分と、軸方向に相対的に摺動する摺動部分とを形成している。
【００７８】
第３実施形態によれば、筒状部材２５７には、それぞれ径方向に貫通し周方向に間隔をあけて並んでいる複数の貫通穴２５７３ａが形成されている。筒状部材２５７の内周面は、プランジャ１５５を軸方向に摺動可能に支持している。筒状部材２５７の外周面のうち貫通穴２５７３ａの周縁部に相当する部分と筒状部材２５７の外周面とは間隙形成部分を構成する。これによれば、作動流体中の異物がプランジャ１５５と筒状部材２５７との間に入り込んだ場合に、貫通穴２５７３ａを設けた位置において径方向に延びる間隙に異物を収容することができる。
【００７９】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、一つの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００８０】
明細書に開示する目的を達成可能な流体制御弁は、前述の実施形態において開示したプランジャと筒状部材とを備える構成に限定されない。流体制御弁は、例えば、筒状部材の内周面に対して間隙を形成するように離間する離間部と、離間部よりも筒状部材の内周面寄りに位置して軸方向に摺動可能に支持されている被支持部とを有するプランジャを備える構成であってもよい。つまり、筒状部材の内周面が平滑な面であり、プランジャの外周面には凹凸が形成されている構成でもあってもよい。
【００８１】
明細書に開示する目的を達成可能な流体制御弁は、第１経路と第２経路を前述の実施形態に記載する位置に限定するものではない。前述の各実施形態は、磁気経路に関するプランジャおよびヨークの形状が上流側と下流側とで逆になるように構成されてもよい。
【００８２】
前述の各実施形態の流体制御弁は、通電のオン時間とオフ時間とによって形成される１周期の時間に対するオン時間の比率すなわちデューティ比を制御装置８が制御して電磁コイルに通電を行うデューティコントロールバルブとして構成することができる。このような流体制御弁に対する通電制御によれば、第２流路１１を流通する冷却水の流量を自在に調節することが可能である。
【００８３】
明細書に開示する目的を達成可能な流体制御弁は、エンジン２の冷却水が循環する冷却水回路１において冷却水の流量等を制御可能な電磁弁に限定するものではない。この流体制御弁は、例えば、モータ、インバータ、半導体装置等を冷却可能な作動流体の流量を制御する電磁弁、冷房または暖房に用いられる作動流体の流量を制御する電磁弁、オートマティックオイル等の作動油の流れ制御する電磁弁に用いることができる。
【００８４】
前述の第１実施形態、第２実施形態における連通路５２１は、内部通路５２０に通じる流体通路の一部であってもよい。流体制御弁は、連通路５２１とは別に設けられた主たる通路を有する構成でもよい。
【符号の説明】
【００８５】
５，１０５，２０５…流体制御弁、  ５２…中間ハウジング（ハウジング）
５５，１５５…プランジャ、  ５６…ヨーク、  ５７，１５７，２５７…筒状部材
５８…弁部、  ５２０…内部通路、  ５２１…連通路（間隙）、  ５４０…コイル部
５５０ｂ…弁部、  ５５１…筒状部（間隙形成部分、摺動部分）、  ５６０ｂ…弁座部
５７２，２５７２…離間部（間隙形成部分）、  ５７３，１５７３…支持部（摺動部分）
１５７３ａ，２５７３ａ…貫通穴、  ２５７３…支持部（摺動部分、内周面）
【図１】
2020085006.tif 000003
【図２】
2020085006.tif 000004
【図３】
2020085006.tif 000005
【図４】
2020085006.tif 000006
【図５】
2020085006.tif 000007
【図６】
2020085006.tif 000008
【図７】
2020085006.tif 000009
【図８】
2020085006.tif 000010